(57)【要約】【課題】薬注処理の実行中に開始されたブローダウン処理により、薬剤が無駄に消費されるのを抑制できる薬剤供給装置を提供する。【解決手段】薬剤供給装置３００は、薬剤投入時間及びブロー処理と薬剤投入時間との重複時間を計時する計時手段３１２と、ブロー処理中に薬剤投入時間が計時された場合には薬注処理を待機し、ブロー処理後に、重複時間に応じた投入量の薬剤で薬注処理を実行し、当該薬注処理の実行中に次のブロー処理が実行された場合には薬注処理を中断し、次のブロー処理の実行後に、一つ前のブロー処理中に供給されなかった薬剤の投入量分と、次のブロー処理中における重複時間に応じた薬剤の投入量とを合計した量の薬剤で薬注処理を実行させる薬注制御部３１１と、を備える。【選択図】図３
2014185797.tif 000002
【特許請求の範囲】
【請求項１】
循環水が循環する循環水系に薬剤を供給する薬剤供給処理を実行可能な薬剤供給手段と、
前記循環水系に薬剤が供給される薬剤投入時間、前記循環水系に薬剤が供給されない薬剤投入間隔、及び補給水を前記循環水系に供給しながら、当該循環水系を流通する循環水の一部を外部に排出するブローダウン処理と前記薬剤投入時間との重複時間を計時する計時手段と、
前記計時手段の計時する前記薬剤投入時間の期間中に、当該薬剤投入時間に応じた投入量の薬剤が前記循環水系に供給されるように、前記薬剤供給手段において前記薬剤供給処理を実行させる薬剤供給制御部と、を備え、
前記薬剤供給制御部は、（ｉ）前記ブローダウン処理の実行中に、前記計時手段による前記薬剤投入時間の計時が開始された場合には、前記薬剤供給処理の実行を待機させ、前記ブローダウン処理の終了後に、前記計時手段で計時された前記重複時間に応じた投入量の薬剤が前記循環水系に供給されるように、前記薬剤供給手段において前記薬剤供給処理を実行させ、（ｉｉ）待機させた前記薬剤供給処理の実行中に、次のブローダウン処理が実行された場合には、前記薬剤供給処理を中断させ、前記次のブローダウン処理の終了後に、中断した前記薬剤供給処理を再開させて、一つ前の前記ブローダウン処理の実行期間中に前記循環水系に供給されなかった薬剤の投入量分と、前記次のブローダウン処理の実行期間中に前記計時手段で計時された重複時間に応じた薬剤の投入量とを合計した量の薬剤が前記循環水系に供給されるように、前記薬剤供給手段において前記薬剤供給処理を実行させる、
薬剤供給装置。
【請求項２】
前記薬剤供給制御部は、前記循環水系を循環水が循環し、且つ前記計時手段の計時する薬剤投入時間中に、予め設定された投入量の薬剤が前記循環水系に供給されるように、前記薬剤供給手段において前記薬剤供給処理を実行させる、
請求項１に記載の薬剤供給装置。
【発明の詳細な説明】
【技術分野】
【０００１】
本発明は、産業用設備に設けられた循環水系に薬剤を供給する薬剤供給装置に関する。
【背景技術】
【０００２】
従来、商業ビル、工業プラント等には、循環水系を有する各種の産業用設備が設置されている。例えば、循環水系を有する産業用設備として冷却塔が知られている。この冷却塔には、空調機や冷凍機に組み込まれた熱交換器等の被冷却装置が接続されている。循環水系には、これら装置を冷却するための冷却水が循環する。冷却水は、冷却塔で冷却されながら、循環水系を循環する（以下、循環する冷却水を「循環水」ともいう）。すなわち、循環水は、循環水系を介して冷却塔と被冷却装置との間を循環する。
【０００３】
循環水が冷却塔で冷却される際に、循環水の一部は蒸発する。そのため、循環水を継続的に循環させると、循環水の濃縮度が徐々に高くなり、水質が悪化する。そこで、循環水の水質を改善するために、ブローダウン処理が実行される。ブローダウン処理は、外部から定期的に新鮮な補給水を供給すると共に、濃縮度の高い循環水の一部を外部に排出して循環水を希釈する処理である。また、ブローダウン処理が実行された際には、循環水又は補給水に、スケール防止剤や防食剤等の薬剤を供給する処理（以下、「薬注処理」ともいう）も実行される。
【０００４】
従来、予め設定された時間において薬注処理を実行する薬注制御装置が提案されている（例えば、特許文献１参照）。
【先行技術文献】
【特許文献】
【０００５】
【特許文献１】実用新案登録第３０４９４０５号公報
【発明の概要】
【発明が解決しようとする課題】
【０００６】
上述した特許文献１に記載の薬注制御装置のように、予め設定された時間において薬注処理を実行する方式では、ブローダウン処理の実行中に薬注処理が開始される場合がある。従来、ブローダウン処理の実行中に薬注処理が開始された場合には、ブローダウン処理が終了するまで薬注処理の実行を停止させ、ブローダウン処理の終了後に薬注処理を実行させることが行われている。
【０００７】
しかし、ブローダウン処理の終了後、停止させた薬注処理を実行している間に、更に次のブローダウン処理が実行されることがある。その場合、従来の薬注制御装置では、次のブローダウン処理において、薬注処理で供給された薬剤が直ちに循環水の一部と共に系外に排出されてしまい、薬剤の無駄が発生するおそれがあった。
【０００８】
従って、本発明は、停止させた薬注処理の実行中に開始されるブローダウン処理により、薬剤が無駄に消費されるのを抑制できる薬剤供給装置を提供することを目的とする。
【課題を解決するための手段】
【０００９】
本発明は、循環水が循環する循環水系に薬剤を供給する薬剤供給処理を実行可能な薬剤供給手段と、前記循環水系に薬剤が供給される薬剤投入時間、前記循環水系に薬剤が供給されない薬剤投入間隔、及び補給水を前記循環水系に供給しながら、当該循環水系を流通する循環水の一部を外部に排出するブローダウン処理と前記薬剤投入時間との重複時間を計時する計時手段と、前記計時手段の計時する前記薬剤投入時間の期間中に、当該薬剤投入時間に応じた投入量の薬剤が前記循環水系に供給されるように、前記薬剤供給手段において前記薬剤供給処理を実行させる薬剤供給制御部と、を備え、前記薬剤供給制御部は、（ｉ）前記ブローダウン処理の実行中に、前記計時手段による前記薬剤投入時間の計時が開始された場合には、前記薬剤供給処理の実行を待機させ、前記ブローダウン処理の終了後に、前記計時手段で計時された前記重複時間に応じた投入量の薬剤が前記循環水系に供給されるように、前記薬剤供給手段において前記薬剤供給処理を実行させ、（ｉｉ）待機させた前記薬剤供給処理の実行中に、次のブローダウン処理が実行された場合には、前記薬剤供給処理を中断させ、前記次のブローダウン処理の終了後に、中断した前記薬剤供給処理を再開させて、一つ前の前記ブローダウン処理の実行期間中に前記循環水系に供給されなかった薬剤の投入量分と、前記次のブローダウン処理の実行期間中に前記計時手段で計時された重複時間に応じた薬剤の投入量とを合計した量の薬剤が前記循環水系に供給されるように、前記薬剤供給手段において前記薬剤供給処理を実行させる薬剤供給装置に関する。
【００１０】
また、前記薬剤供給制御部は、前記循環水系を循環水が循環し、且つ前記計時手段の計時する薬剤投入時間中に、予め設定された投入量の薬剤が前記循環水系に供給されるように、前記薬剤供給手段において前記薬剤供給処理を実行させることが好ましい。
【発明の効果】
【００１１】
本発明によれば、薬注処理の実行中に開始されたブローダウン処理により、薬剤が無駄に消費されるのを抑制できる薬剤供給装置を提供することができる。
【図面の簡単な説明】
【００１２】
【図１】実施形態の冷却システム１を示す概略構成図である。
【図２】実施形態の冷却システム１の制御に係る機能ブロック図である。
【図３】薬剤供給装置３００の概略構成図である。
【図４】インターバル薬注により薬注処理を実行するタイミングを示すタイムチャートである。
【図５】システム制御ユニット１００においてブローダウン処理を実行する場合の処理手順を示すフローチャートである。
【図６】薬剤供給装置３００において薬注処理を実行する場合の処理手順を示すフローチャートである。
【発明を実施するための形態】
【００１３】
以下、図面を参照して、本発明の実施形態を説明する。この実施形態では、本発明に係る薬剤供給装置を適用した冷却システムについて説明する。図１は、本実施形態の冷却システム１を示す概略構成図である。図２は、冷却システム１の制御に係る機能ブロック図である。図３は、薬剤供給装置３００の概略構成図である。
【００１４】
図１に示すように、本実施形態の冷却システム１は、空調機や冷凍機に組み込まれた熱交換器等の被冷却装置１３１を冷却するために、循環水Ｗ２（冷却水）を循環させるシステムである。冷却システム１の運転中、循環水Ｗ２は、冷却塔１２０で冷却されながら循環して用いられる。循環水Ｗ２は、蒸発、飛散及びブローダウン処理（後述）等により減少した分が外部から補給される。本実施形態において、産業用設備としての冷却塔１２０は、いわゆる開放式冷却塔である。
【００１５】
本実施形態の冷却システム１は、主な構成として、冷却塔１２０と、被冷却装置１３１と、循環水ポンプ１３２と、電気伝導率センサ１３３と、補給水バルブ１３６と、システム制御ユニット１００と、薬剤供給装置３００と、を備える。また、冷却システム１は、主なラインとして、循環水ラインＬ１１０と、補給水ラインＬ１２０と、を備える。「ライン」とは、流路、経路、管路等の流体の流通が可能なラインの総称である。図１（及び図３）では、電気的な接続の経路を破線で示している。
【００１６】
冷却塔１２０は、補給水Ｗ１が供給されると共に、この補給水Ｗ１を循環水Ｗ２として被冷却装置１３１へ供給し、被冷却装置１３１から回収（返送）される循環水Ｗ２を冷却する設備である。冷却塔１２０は、塔本体１２１と、貯留部１２２と、を備える。冷却塔１２０は、循環水ラインＬ１１０と共に循環水系を構成する。
【００１７】
塔本体１２１は、冷却塔１２０の外郭を形成する筐体である。塔本体１２１は、散水部、ファン、開口部、ルーバー、充填材等からなる循環水冷却部（不図示）を有する。循環水Ｗ２は、循環水冷却部により冷却され、貯留部１２２に落下する。
【００１８】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、ブローダウン処理において使用される給水栓１３７及びオーバーフロー口１３８が設けられている。
【００１９】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００２０】
循環水供給ラインＬ１１１は、貯留部１２２と被冷却装置１３１との間を接続する。貯留部１２２内の循環水Ｗ２は、循環水供給ラインＬ１１１を介して被冷却装置１３１に供給される。
【００２１】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御ユニット１００と電気的に接続されている。循環水ポンプ１３２の運転（駆動及び停止）は、システム制御ユニット１００から出力されるポンプ運転信号により制御される。
【００２２】
循環水回収ラインＬ１１２は、被冷却装置１３１と塔本体１２１との間を接続するラインである。被冷却装置１３１において熱交換により加温された循環水Ｗ２は、循環水回収ラインＬ１１２を介して塔本体１２１の循環水冷却部（不図示）に回収される。
【００２３】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２４】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２５】
電気伝導率センサ（以下、「ＥＣセンサ」ともいう）１３３は、貯留部１２２内の循環水Ｗ２の水質を測定して、検出電気伝導率値として出力する装置である。ＥＣセンサ１３３は、システム制御ユニット１００と電気的に接続されている。ＥＣセンサ１３３で測定された検出電気伝導率値（以下、「電気伝導率ＥＣ」ともいう）は、システム制御ユニット１００へ送信される。ＥＣセンサ１３３は、リアルタイムで循環水Ｗ２の電気伝導率を測定し、システム制御ユニット１００へ電気伝導率ＥＣを送信する。
【００２６】
薬剤供給装置３００は、貯留部１２２内の循環水Ｗ２に、スケール防止剤、防食剤、殺菌剤等の薬剤を供給する薬注処理を実行可能な装置である。薬剤供給装置３００は、薬剤供給ラインＬ１４０を介して貯留部１２２に接続されている。薬剤供給装置３００は、システム制御ユニット１００と電気的に接続されている。薬剤供給装置３００の構成については、後に詳細に説明する。
【００２７】
スケール防止剤は、水中でのスケールの成長、或いは配管表面等へのスケールの堆積を防止するために用いられる化合物である。防食剤は、主に配管系等における全面腐食、或いはピッチング等の部分腐食の発生を抑制するために用いられる化合物である。殺菌剤は、水中における微生物の繁殖を抑制するために用いられる化合物であり、スライムコントロール剤とも呼ばれる。本実施形態では、スケール防止剤、防食剤、及び殺菌剤を総称して「薬剤」又は「薬剤Ｗ３」という。
【００２８】
スケール防止剤、防食剤、及び殺菌剤は、例えば一液型のマルチ薬剤として提供され、薬剤タンク３３０、薬剤供給ポンプ３５０及び薬剤供給ラインＬ１４０（いずれも後述）から貯留部１２２に供給される。
【００２９】
薬剤供給ラインＬ１４０は、薬剤Ｗ３を貯留部１２２へ供給するラインである。薬剤供給ラインＬ１４０の上流側の端部は、薬剤供給ポンプ３５０（後述）の吐出口に接続されている。薬剤供給ラインＬ１４０の下流側の端部は、貯留部１２２に接続されている。
【００３０】
また、冷却塔１２０には、補給水ラインＬ１２０が接続されている。補給水ラインＬ１２０は、補給水Ｗ１を貯留部１２２へ補給するラインである。補給水ラインＬ１２０は、上流側に第１補給水ラインＬ１２１を備え、下流側に第２補給水ラインＬ１２２及び第３補給水ラインＬ１２３を備える。第１補給水ラインＬ１２１は、水道水や工業用水等の補給水Ｗ１の供給源（不図示）に接続されている。補給水ラインＬ１２０は、分岐部Ｊ１において、第２補給水ラインＬ１２２及び第３補給水ラインＬ１２３に分岐している。分岐部Ｊ１は、補給水Ｗ１の供給源と冷却塔１２０との間に配置されている。
【００３１】
第２補給水ラインＬ１２２の下流側の端部は、塔本体１２１に接続されている。第２補給水ラインＬ１２２において、分岐部Ｊ１と冷却塔１２０との間には、補給水バルブ１３６が設けられている。
【００３２】
補給水バルブ１３６は、第２補給水ラインＬ１２２を開閉することができる。第２補給水ラインＬ１２２を開くことにより、補給水Ｗ１を貯留部１２２に強制的に供給することができる。補給水バルブ１３６は、システム制御ユニット１００と電気的に接続されている。補給水バルブ１３６の開閉状態は、システム制御ユニット１００（ブローダウン処理制御部２００）から出力されるバルブ駆動信号により制御される。補給水バルブ１３６を開状態とすることにより、第２補給水ラインＬ１２２を開くことができる。補給水バルブ１３６を閉状態とすることにより、第２補給水ラインＬ１２２を閉じることができる。
【００３３】
第３補給水ラインＬ１２３の下流側の端部は、塔本体１２１に接続されている。第３補給水ラインＬ１２３の下流側の端部には、給水栓１３７が設けられている。給水栓１３７は、貯留部１２２内の循環水Ｗ２の水位（すなわち、水量）を管理するボールタップ式の給水設備である。循環水Ｗ２の蒸発及び飛散により貯留部１２２の水位が低下すると、給水栓１３７のボールタップが作動し、第３補給水ラインＬ１２３を流通する補給水Ｗ１が貯留部１２２に補給される。
【００３４】
排水ラインＬ１３０は、貯留部１２２の内部に略垂直に取り付けられている。排水ラインＬ１３０は、貯留部１２２から更に下方に延びている。排水ラインＬ１３０の上流側の端部は、循環水Ｗ２のオーバーフロー口１３８を形成する。オーバーフロー口１３８は、給水栓１３７の管理水位よりも上方に開口する。一方、排水ラインＬ１３０の下流側の端部は、貯留部１２２の外部に通じている。排水ラインＬ１３０は、後述するブローダウン処理において、補給水バルブ１３６が開状態となり、補給水Ｗ１を強制的に供給した場合に、貯留部１２２から溢れた循環水Ｗ２を系外に排出するラインである。
【００３５】
上記構成において、補給水バルブ１３６を開状態とすることにより、補給水Ｗ１を冷却塔１２０に補給しながら、循環水Ｗ２の一部を冷却塔１２０から外部に排出するブローダウン処理を実行させることができる。
【００３６】
次に、図２を参照して、冷却システム１の制御に係る機能について説明する。
【００３７】
システム制御ユニット１００は、冷却システム１における各部の動作を制御する。図２に示すように、システム制御ユニット１００は、例えば、循環水ポンプ１３２、薬剤供給装置３００、及び補給水バルブ１３６と電気的に接続される。
【００３８】
また、システム制御ユニット１００は、冷却システム１の各測定装置と電気的に接続され、これら測定装置から測定情報を受信する。例えば、システム制御ユニット１００は、測定装置としてのＥＣセンサ１３３と電気的に接続される。システム制御ユニット１００において、ＥＣセンサ１３３を含む各測定装置から受信した最新の測定情報は、適宜、メモリ２１０に記憶される。
【００３９】
システム制御ユニット１００は、ブローダウン処理制御部２００と、メモリ２１０と、を備える。システム制御ユニット１００におけるブローダウン処理制御部２００の機能は、ＣＰＵ及び内部メモリ含むマイクロプロセッサ（不図示）により実現される。
【００４０】
ブローダウン処理制御部２００は、ＥＣセンサ１３３で検出された循環水Ｗ２の電気伝導率ＥＣが、予め設定された上限閾値ＥＣｂ１以上となった場合に、補給水バルブ１３６を制御して循環水Ｗ２のブローダウン処理を実行させる。上限閾値ＥＣｂ１は、例えば、スケール防止剤及び防食剤の効果の持続性を担保できる濃縮倍数を考慮して決定される。
【００４１】
ブローダウン処理制御部２００は、ブローダウン処理として、循環水Ｗ２の排水及び補給水Ｗ１の補給を同時に（又は連続して）実施する。具体的には、ブローダウン処理制御部２００は、電気伝導率ＥＣ≧上限閾値ＥＣｂ１となった場合、すなわち循環水Ｗ２の水質が悪化した場合には、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、オーバーフロー口１３８から溢れた循環水Ｗ２が排水ラインＬ１３０を通じて外部に排出される。すなわち、ブローダウン処理が実行されると、濃縮の進んだ循環水Ｗ２の一部が補給水Ｗ１と入れ替わる。そのため、循環水ラインＬ１１０を流通する循環水Ｗ２は、全体として電気伝導率ＥＣが低下する。
【００４２】
そして、ブローダウン処理制御部２００は、補給水バルブ１３６を開状態とした後、電気伝導率ＥＣ≦下限閾値ＥＣｂ２となった場合、すなわち循環水Ｗ２の水質が回復した場合には、補給水バルブ１３６を閉状態として、補給水Ｗ１の補給を停止させる。なお、当然ながら、ブローダウン処理の開始点である上限閾値ＥＣｂ１とブローダウン処理の終了点である下限閾値ＥＣｂ２との関係は、上限閾値ＥＣｂ１＞下限閾値ＥＣｂ２である。
【００４３】
ブローダウン処理制御部２００は、ブローダウン処理を実行する際に、薬剤供給装置３００に外部停止信号（インターロック信号）を出力する。外部停止信号は、ブローダウン処理の実行（開始）を通知するための信号である。また、ブローダウン処理制御部２００は、ブローダウン処理が終了した際に、薬注供給装置３００への外部停止信号の出力を停止する。
【００４４】
メモリ２１０は、ブローダウン処理等に関する各種のデータを記憶する記憶装置である。例えば、メモリ２１０には、ＥＣセンサ１３３で測定された電気伝導率ＥＣ（更新値）、ブローダウン処理の開始点である上限閾値ＥＣｂ１（設定値）、ブローダウン処理の終了点である下限閾値ＥＣｂ２（設定値）、ブローダウン処理を実行させるための制御プログラム等が記憶される。
【００４５】
次に、図３を参照して、薬剤供給装置３００の構成について詳細に説明する。
図３に示すように、薬剤供給装置３００は、主な構成として、薬注制御ユニット３１０と、薬剤タンク３３０と、薬剤供給ポンプ３５０と、を備える。このうち、薬剤タンク３３０及び薬剤供給ポンプ３５０は、本発明における薬剤供給手段を構成する。
【００４６】
まず、薬剤供給装置３００の制御系の構成について説明する。薬注制御ユニット３１０は、薬剤供給制御部としての薬注制御部３１１と、計時手段としての計時部３１２と、メモリ３２０と、を備える。薬注制御ユニット３１０における薬注制御部３１１及び計時部３１２の各機能は、ＣＰＵ及び内部メモリ含むマイクロプロセッサ（不図示）により実現される。なお、本実施形態において、システム制御ユニット１００は、薬剤供給装置３００に搭載されており、システム制御ユニット１００と薬注制御ユニット３１０の間で各種の測定値や制御状態等の情報を共有する。
【００４７】
薬注制御部３１１は、薬剤投入時間（後述）の期間中に、当該薬剤投入時間に応じた投入量（後述するＱ１）の薬剤が循環水Ｗ２に供給されるように、薬剤供給ポンプ３５０において薬注処理（インターバル薬注）を実行させる。
【００４８】
薬注制御部３１１は、ブローダウン処理の実行中に、計時部３１２による薬剤投入時間の計時が開始された場合には、薬注処理の実行を待機（停止）する。そして、薬注制御部３１１は、ブローダウン処理の終了後に、計時部３１２で計時された重複時間ＴＬに応じた投入量の薬剤が循環水Ｗ２に供給されるように、薬剤供給ポンプ３５０において薬注処理を実行させる。重複時間ＴＬとは、ブローダウン処理と薬剤投入時間とが重複する時間である。重複時間ＴＬは、計時部３１２により計時される。
【００４９】
薬注制御部３１１は、ブローダウン処理制御部２００から外部停止信号が出力されたときには、ブローダウン処理が開始（実行）されたと判定して、薬注処理の実行を待機する。また、薬注制御部３１１は、ブローダウン処理制御部２００から外部停止信号の出力が停止したときには、ブローダウン処理が終了したと判定する。
【００５０】
また、薬注制御部３１１は、待機した薬注処理の実行中に、次のブローダウン処理が実行された場合には、薬注処理を中断（停止）し、次のブローダウン処理の終了後に、中断した薬注処理を再開する。そして、薬注制御部３１１は、一つ前のブローダウン処理の実行期間中に循環水Ｗ２に供給されなかった薬剤の投入量分と、次のブローダウン処理の実行期間中に計時部３１２で計時された重複時間ＴＬに応じた薬剤の投入量とを合計した量の薬剤が循環水Ｗ２に供給されるように、薬剤供給ポンプ３５０において薬注処理を実行させる。
【００５１】
なお、薬注制御部３１１は、薬注処理の実行中に次のブローダウン処理が実行され、薬注処理の実行を中断させた場合には、一つ前のブローダウン処理の実行期間中に循環水Ｗ２に供給されなかった薬剤の投入量分、及び次のブローダウン処理の実行期間中に計時部３１２で計時された重複時間ＴＬをメモリ３２０に記憶させる。
【００５２】
そして、薬注制御部３１１は、次のブローダウン処理の終了後に、メモリ３２０に記憶された薬剤の投入量分と、次のブローダウン処理の実行期間中に計時部３１２で計時された重複時間ＴＬに応じた薬剤の投入量分とを合計した量（以下、「合計量」ともいう）の薬剤が循環水Ｗ２に供給されるように、薬剤の合計量に対応したパルス幅を有するポンプ駆動信号を薬剤供給ポンプ３５０に出力する。
【００５３】
薬注制御部３１１において、上述した薬注処理は、冷却塔１２０の運転中で、且つ計時部３１２の計時する薬剤投入時間中に実行される。薬注制御部３１１は、システム制御ユニット１００から循環水ポンプ１３２へ出力されるポンプ運転信号に基づいて、冷却塔１２０の運転状態を判定する。すなわち、薬注制御部３１１は、システム制御ユニット１００から循環水ポンプ１３２へポンプ運転信号が出力されている場合には、冷却塔１２０が運転中であると判定する。また、薬注制御部３１１は、システム制御ユニット１００から循環水ポンプ１３２へポンプ運転信号が出力されていない場合には、冷却塔１２０が運転停止中であると判定する。なお、ポンプ運転信号は、システム制御ユニット１００から薬注制御部３１１にも送信される。
【００５４】
計時部３１２は、予め設定された薬剤投入時間及び薬剤投入間隔を交互に計時する。薬剤投入時間とは、循環水Ｗ２に薬剤を供給する時間、すなわち薬剤供給ポンプ３５０の運転時間である。薬剤投入間隔とは、循環水Ｗ２に薬剤を供給しない期間、すなわち薬剤供給ポンプ３５０の運転を停止している期間である。
【００５５】
計時部３１２は、ポンプ駆動信号が出力されたことを薬注制御部３１１から通知されると、薬剤投入時間の計時をスタートする。また、計時部３１２は、ポンプ駆動信号の出力が停止したことを薬注制御部３１１から通知されると、薬剤投入時間の計時をストップする。計時部３１２は、計時した薬剤投入時間をメモリ３２０に記憶させる。
【００５６】
計時部３１２は、ポンプ駆動信号の出力が停止したことを薬注制御部３１１から通知されると、薬剤投入間隔の計時をスタートする。また、計時部３１２は、ポンプ駆動信号が出力されたことを薬注制御部３１１から通知されると、薬剤投入時間の計時をストップする。計時部３１２は、計時した薬剤投入間隔をメモリ３２０に記憶させる。
【００５７】
また、計時部３１２は、ブローダウン処理と薬剤投入時間との重複時間ＴＬを計時する。計時部３１２は、ブローダウン処理の実行中に、薬剤投入時間の計時をスタートした場合には、同時に重複時間ＴＬの計時をスタートする。そして、計時部３１２は、ブローダウン処理が終了したときに、重複時間ＴＬの計時をストップする。計時部３１２は、計時した重複時間ＴＬを、メモリ３２０に記憶させる。なお、ブローダウン処理中、薬注処理は実行されない。言い換えると、ブローダウン処理中は、薬剤投入時間の計時をスタートしても、実際には薬注処理は実行されない。そのため、重複時間ＴＬは、実質的にブローダウン処理により薬剤が供給されなかった時間を意味する。
【００５８】
メモリ３２０は、薬注処理に関する各種のデータを記憶する記憶装置である。例えば、メモリ３２０には、薬剤投入時間、薬剤投入間隔、ブローダウン処理と薬剤投入時間との重複時間ＴＬ、中断させた薬注処理又は補助薬注処理において循環水Ｗ２に供給されなかった薬剤の投入量分ＱＸ、薬注処理を実行させるための制御プログラム等が記憶される。
【００５９】
次に、図３に示す薬剤供給装置３００において、循環水Ｗ２に薬剤Ｗ３を供給するライン及びその周辺設備の構成について説明する。
【００６０】
薬剤タンク３３０は、内部に薬剤を貯留可能な容器である。薬剤タンク３３０の内部には、レベルセンサ３４０が設けられている。また、薬剤タンク３３０には、薬剤供給ポンプ３５０が接続されている。
【００６１】
レベルセンサ３４０は、薬剤タンク３３０内の薬剤の液位（すなわち、液量）を検出する機器である。レベルセンサ３４０は、薬注制御ユニット３１０と電気的に接続されている。レベルセンサ３４０は、薬剤タンク３３０内の薬剤の液位に応じたレベル信号を出力する。レベルセンサ３４０から出力されたレベル信号は、薬注制御ユニット３１０に送信される。薬注制御ユニット３１０は、レベル信号が満水液位Ａから減少して、設定液位Ｂに満たなくなると、例えば、警報器に警報を一定時間発生させて、管理者に薬剤の補充を促す。
【００６２】
薬剤供給ポンプ３５０は、薬剤タンク３３０内の薬剤Ｗ３を、薬剤供給ラインＬ１４０を介して貯留部１２２に向けて送出する装置である。本実施形態の薬剤供給ポンプ３５０は、電磁駆動ダイアフラム式の定量ポンプである。薬剤供給ポンプ３５０として、電磁駆動ダイアフラム式の定量ポンプを用いた場合、ダイアフラム弁（不図示）が往復運動することにより、薬剤Ｗ３が断続的に薬剤供給ラインＬ１４０へ押し込まれる。その結果、薬剤供給ラインＬ１４０の上流側では圧力が上昇するため、薬剤Ｗ３は、薬剤供給ラインＬ１４０の下流側から貯留部１２２に吐出される。
【００６３】
薬剤供給ポンプ３５０は、ダイアフラム弁の１ストローク当たりの吐出量［ｍＬ／ストローク］を所定値に設定し、且つストローク数［ストローク／分］を増減することにより、薬剤の吐出流量［ｍＬ／分］を調節できる。ストローク数とは、単位時間当たりにダイアフラム弁が往復運動する回数をいい、１往復が１ストロークに相当する。薬剤供給ポンプ３５０は、薬注制御部３１１（薬注制御ユニット３１０）と電気的に接続されている。薬剤供給ポンプ３５０は、薬注制御部３１１からポンプ駆動信号（パルス信号）が出力されると、そのパルス幅の期間（以下、「運転時間」ともいう）に亘って、指定されたストローク数での薬剤の投入を実行する。
【００６４】
なお、本実施形態では、スケール防止剤、防食剤、及び殺菌剤を配合した一液型のマルチ薬剤を、一つの薬剤供給装置３００から貯留部１２２に供給する例について説明する。化合物の特性により一液に配合することが困難な場合には、スケール防止剤、防食剤、及び殺菌剤を、それぞれ個別の薬剤供給装置から貯留部１２２に供給してもよい。
【００６５】
薬剤供給ラインＬ１４０には、フローチェッカ１４１及びチェックバルブ１４２が設けられている。
【００６６】
フローチェッカ１４１は、薬剤供給ラインＬ１４０における薬剤Ｗ３の流通状態を検出する機器である。フローチェッカ１４１は、薬注制御ユニット３１０と電気的に接続されている。フローチェッカ１４１は、薬剤供給ラインＬ１４０を薬剤Ｗ３が適正に流通していないことを検出した場合、薬注制御ユニット３１０に検出信号を送信する。例えば、薬剤供給ラインＬ１４０に気泡や固形物が混入し、一時的に薬剤Ｗ３の流通が滞った場合には、フローチェッカ１４１から薬注制御ユニット３１０に閉塞検出信号が送信される。フローチェッカ１４１は、薬剤供給ラインＬ１４０において、薬剤タンク３３０とチェックバルブ１４２との間に設けられている。
【００６７】
チェックバルブ１４２は、薬剤の流通方向を規制する弁である。チェックバルブ１４２は、薬剤タンク３３０から貯留部１２２に向けて薬剤Ｗ３が圧送されるときには、弁体が開き、貯留部１２２から逆流が起こったときには、弁体が閉じる。チェックバルブ１４２は、薬剤供給ラインＬ１４０と貯留部１２２との接続部分に設けられている。
【００６８】
次に、薬剤供給装置３００において、薬注処理（インターバル薬注）を実行するタイミングについて、図４を参照しながら説明する。
【００６９】
図４（Ａ）は、ブローダウン処理の実行中に薬剤投入時間の計時が開始された場合のタイムチャートである。また、図４（Ｂ）は、薬注処理の実行中に次のブローダウン処理が実行された場合のタイムチャートである。
【００７０】
なお、図４おいて、「ブローダウン動作」は、ブローダウン処理の実行時間（補給水バルブ１３６の開時間）を示す。「薬注動作」は、薬剤供給ポンプ３５０（薬剤供給装置３００）の運転時間を示す。なお、図３に示す波形は、それぞれの時間間隔を概念的な長さで示しており、実際の時間間隔とは対応していない。また、薬注動作においては、循環水Ｗ２に供給される薬剤の投入量Ｑ（Ｑ１、ＱＸ等）を、その投入量に比例したパルス幅（時間）で示す。
【００７１】
図４（Ａ）の薬注動作のタイムチャートに示すように、薬注制御部３１１は、薬剤投入時間Ｔ１の期間で薬注処理を実行し、薬剤投入間隔Ｔ２の期間で薬注処理を停止する、という制御を交互に繰り返す。なお、図４（Ａ）において、薬剤投入時間Ｔ１に応じた薬剤の投入量をＱ１とする。
【００７２】
薬注制御部３１１は、図４（Ａ）に示すように、ブローダウン処理Ａの実行中に、計時部３１２による薬剤投入時間Ｔ１の計時がスタートした場合には、薬注処理ａの実行を待機（停止）する。なお、薬注処理ａの実行を待機している間も、計時部３１２による薬剤投入時間Ｔ１の計時は継続する。また、計時部３１２は、ブローダウン処理Ａの実行中に、薬剤投入時間Ｔ１の計時をスタートした場合には、同時に重複時間ＴＬの計時をスタートする。
【００７３】
そして、薬注制御部３１１は、ブローダウン処理Ａの終了後に、計時部３１２で計時された重複時間ＴＬ（図中、斜線部）に応じた投入量ＱＸの薬剤が循環水Ｗ２に供給されるように、薬剤供給ポンプ３５０において薬注処理ａを実行させる。すなわち、薬注制御部３１１は、ブローダウン処理Ａの終了後に、ブローダウン処理Ａの実行により循環水Ｗ２に供給されなかった投入量ＱＸの薬剤が循環水Ｗ２に供給されるように、投入量ＱＸを含む所定の投入量に対応したパルス幅を有するポンプ駆動信号を薬剤供給ポンプ３５０に出力する。
【００７４】
薬注処理ａは、通常は薬剤投入間隔Ｔ２の経過後に開始されるが、この場合には、ブローダウン処理Ａの終了後に開始される。また、薬注処理ａは、通常は薬剤投入時間Ｔ１に合わせて終了するが、この場合には、薬剤投入時間Ｔ１の経過後に、更に投入量ＱＸの薬剤が循環水Ｗ２に供給される。
【００７５】
次に、図４（Ｂ）に示すように、薬注処理ａの実行中に、次のブローダウン処理Ｂが実行された場合、薬注制御部３１１は、ブローダウン処理Ｂが終了するまで薬剤供給ポンプ３５０へのポンプ駆動信号の出力を停止して、薬注処理ａの実行を中断（停止）する。なお、薬注処理ａの実行を中断している間も、計時部３１２による薬剤投入時間Ｔ１の計時は継続する。また、計時部３１２は、ブローダウン処理Ｂが実行されたときに、薬剤投入時間Ｔ１の計時が継続している場合には、重複時間ＴＬの計時をスタートする。
【００７６】
そして、薬注制御部３１１は、ブローダウン処理Ｂの終了後に、一つ前のブローダウン処理Ａの実行期間中に循環水Ｗ２に供給されなかった薬剤の投入量ＱＸと、次のブローダウン処理Ｂの実行期間中に計時された重複時間ＴＬに応じた薬剤の投入量ＱＹとを合計した量の薬剤が循環水Ｗ２に供給されるように、薬剤の合計量ＱＸ＋ＱＹに対応したパルス幅を有するポンプ駆動信号を薬剤供給ポンプ３５０に出力する。これにより、薬剤供給装置３００において、薬注処理ａが薬注処理ａ´として実行される。
【００７７】
なお、図４（Ｂ）に示すように、薬注処理ａにおいて、ブローダウン処理ＡとＢとの間に循環水Ｗ２に供給された薬剤の投入量ＱＺとすると、ブローダウン処理Ｂの終了後に、薬剤の合計量ＱＸ＋ＱＹによる薬注処理ａ´が実行されることにより、循環水Ｗ２には、薬剤投入時間Ｔ１に応じた投入量Ｑ１の薬剤がすべて供給されることになる。
【００７８】
次に、本実施形態の冷却システム１において実行されるブローダウン処理及び薬注処理の動作を、図５及び図６に示すフローチャートを参照して説明する。
【００７９】
まず、ブローダウン処理について説明する。図５は、システム制御ユニット１００においてブローダウン処理を実行する場合の処理手順を示すフローチャートである。図５に示すフローチャートの処理は、メモリ２１０に記憶された制御プログラムに基づいて、ブローダウン処理制御部２００により実行される。また、図５に示すフローチャートの処理は、冷却システム１の運転中において、繰り返し実行される。
【００８０】
図５に示すステップＳＴ１０１において、ブローダウン処理制御部２００は、ＥＣセンサ１３３で測定された循環水Ｗ２の電気伝導率ＥＣ、及びブローダウン処理の開始点である上限閾値ＥＣｂ１をメモリ２１０から取得する。
【００８１】
ステップＳＴ１０２において、ブローダウン処理制御部２００は、電気伝導率ＥＣが上限閾値ＥＣｂ１以上か否かを判定する。このステップＳＴ１０２において、ブローダウン処理制御部２００により、電気伝導率ＥＣ≧上限閾値ＥＣｂ１である（ＹＥＳ）と判定された場合には、循環水Ｗ２の濃縮度が所定の濃縮度に達したため、処理はステップＳＴ１０３へ移行する。また、ステップＳＴ１０２において、ブローダウン処理制御部２００により、電気伝導率ＥＣ＜上限閾値ＥＣｂ１である（ＮＯ）と判定された場合には、循環水Ｗ２の濃縮度が所定の濃縮度に達していないため、処理はステップＳＴ１０１へ戻る。
【００８２】
ステップＳＴ１０３（ステップＳＴ１０２：ＹＥＳ）において、ブローダウン処理制御部２００は、補給水バルブ１３６を開状態として、ブローダウン処理を開始する。
【００８３】
ステップＳＴ１０３においてブローダウン処理を実行させることにより、補給水Ｗ１が貯留部１２２に強制的に補給される一方、貯留部１２２内の循環水Ｗ２の一部が排水ラインＬ１３０から外部に排出されるため、循環水Ｗ２の電気伝導率ＥＣは徐々に低下する。
【００８４】
ステップＳＴ１０４において、ブローダウン処理制御部２００は、ＥＣセンサ１３３で測定された循環水Ｗ２の電気伝導率ＥＣ、及びブローダウン処理の終了点である下限閾値ＥＣｂ２をメモリ２１０から取得する。
【００８５】
ステップＳＴ１０５において、ブローダウン処理制御部２００は、電気伝導率ＥＣが下限閾値ＥＣｂ２以下か否かを判定する。このステップＳＴ１０５において、ブローダウン処理制御部２００により、電気伝導率ＥＣ≦下限閾値ＥＣｂ２である（ＹＥＳ）と判定された場合には、循環水Ｗ２の濃縮度が十分に低下したと考えられるため、処理はステップＳＴ１０６へ移行する。また、ステップＳＴ１０５において、ブローダウン処理制御部２００により、電気伝導率ＥＣ＞下限閾値ＥＣｂ２である（ＮＯ）と判定された場合には、循環水Ｗ２の濃縮度が未だ低下していないと考えられるため、処理はステップＳＴ１０４へ戻る。
【００８６】
ステップＳＴ１０６（ステップＳＴ１０５：ＹＥＳ）において、ブローダウン処理制御部２００は、補給水バルブ１３６を閉状態として、ブローダウン処理を終了する。これにより、本フローチャートの処理は終了する（ステップＳＴ１０１へリターンする）。
【００８７】
次に、通常薬注処理について説明する。図６は、薬剤供給装置３００において薬注処理を実行する場合の処理手順を示すフローチャートである。図６に示すフローチャートの処理は、メモリ３２０に記憶された制御プログラムに基づいて、薬注制御ユニット３１０（薬注制御部３１１、計時部３１２）により実行される。また、図５に示すフローチャートの処理は、冷却システム１の運転中において、繰り返し実行される。なお、計時部３１２による薬剤投入時間Ｔ１及び薬剤投入間隔Ｔ２の計時は、冷却システム１の運転中においては、ブローダウン処理の有無に係わらず継続して実行される。
【００８８】
図６に示すステップＳＴ２０１において、薬注制御部３１１は、循環水ポンプ１３２へのポンプ運転信号の出力があるか否か（冷却塔１２０の運転中か否か）を判定する。このステップＳＴ２０１において、薬注制御部３１１により、循環水ポンプ１３２へのポンプ運転信号の出力がある（ＹＥＳ）と判定された場合に、処理はステップＳＴ２０２へ移行する。また、ステップＳＴ２０１において、薬注制御部３１１により、循環水ポンプ１３２へのポンプ運転信号の出力がない（ＮＯ）と判定された場合に、処理はステップＳＴ２０１へ戻る。
【００８９】
ステップＳＴ２０２（ステップＳＴ２０１：ＹＥＳ）において、薬注制御部３１１は、計時部３１２により薬剤投入時間Ｔ１の計時が開始されたか否かを判定する。このステップＳＴ２０２において、計時部３１２により薬剤投入時間Ｔ１の計時が開始された（ＹＥＳ）と判定された場合に、処理はステップＳＴ２０３へ移行する。また、ステップＳＴ２０２において、計時部３１２により薬剤投入時間Ｔ１の計時が開始されていない（ＮＯ）と判定された場合に、処理はステップＳＴ２０２へ戻る。
【００９０】
ステップＳＴ２０３（ステップＳＴ２０２：ＹＥＳ）において、薬注制御部３１１は、ブローダウン処理が開始（実行）されたか否かを判定する。薬注制御部３１１は、ブローダウン処理制御部２００から出力される外部停止信号の有無により、ブローダウン処理が開始されたか否かを判定することができる。
【００９１】
このステップＳＴ２０３において、薬注制御部３１１により、ブローダウン処理が開始された（ＹＥＳ）と判定された場合に、処理はステップＳＴ２０４へ移行する。また、ステップＳＴ２０３において、薬注制御部３１１により、ブローダウン処理が開始されていない（ＮＯ）と判定された場合に、処理はステップＳＴ２０９へ移行する。
【００９２】
ステップＳＴ２０４（ステップＳＴ２０３：ＹＥＳ）において、計時部３１２は、ブローダウン処理と薬剤投入時間Ｔ１とが重複する重複時間ＴＬの計時をスタートする。
【００９３】
ステップＳＴ２０５において、薬注制御部３１１は、ブローダウン処理が終了したか否かを判定する。薬注制御部３１１は、ブローダウン処理制御部２００から出力される外部停止信号の有無により、ブローダウン処理が終了したか否かを判定することができる。このステップＳＴ２０５において、薬注制御部３１１により、ブローダウン処理が終了した（ＹＥＳ）と判定された場合に、処理はステップＳＴ２０６へ移行する。また、ステップＳＴ２０５において、薬注制御部３１１により、ブローダウン処理が終了していない（ＮＯ）と判定された場合に、処理はステップＳＴ２０５へ戻る。
【００９４】
ステップＳＴ２０６（ステップＳＴ２０５：ＹＥＳ）において、計時部３１２は、重複時間ＴＬの計時をストップし、計時した重複時間ＴＬをメモリ３２０に記憶させる。その後、計時した重複時間ＴＬは、計時部３１２においてリセットされる。
【００９５】
ステップＳＴ２０７において、薬注制御部３１１は、重複時間ＴＬをメモリ３２０から読み出し、薬剤投入時間Ｔ１に引き続いて重複時間ＴＬに応じた投入量ＱＸの薬剤が循環水Ｗ２に供給されるように、薬剤供給ポンプ３５０において薬注処理を実行させる（図４（Ａ）参照）。ここで、薬注制御部３１１は、投入量ＱＸを含む所定の投入量に対応したパルス幅を有するポンプ駆動信号を薬剤供給ポンプ３５０に出力する。
【００９６】
ステップＳＴ２０８において、薬注制御部３１１は、薬注処理が終了したか否かを判定する。このステップＳＴ２０８において、薬注制御部３１１により、薬注処理が終了した（ＹＥＳ）と判定された場合に、本フローチャートの処理は終了する（ステップＳＴ２０１へリターンする）。また、ステップＳＴ２０８において、薬注処理が終了していない（ＮＯ）と判定された場合に、処理はステップＳＴ２１０へ移行する。
【００９７】
一方、ステップＳＴ２０９（ステップＳＴ２０３：ＮＯ）において、薬注制御部３１１は、薬剤投入時間Ｔ１の期間中に、薬剤投入時間Ｔ１に応じた投入量Ｑ１の薬剤が循環水Ｗ２に供給されるように、薬剤供給ポンプ３５０において薬注処理を実行させる。ここで、薬注制御部３１１は、投入量Ｑ１に対応したパルス幅を有するポンプ駆動信号を薬剤供給ポンプ３５０に出力する。
【００９８】
ステップＳＴ２１０（ステップＳＴ２０９の終了／ステップＳＴ２０８：ＮＯ）において、薬注制御部３１１は、ブローダウン処理が開始（実行）されたか否かを判定する。このステップＳＴ２１０において、薬注制御部３１１により、ブローダウン処理が開始された（ＹＥＳ）と判定された場合に、処理はステップＳＴ２１１へ移行する。また、ステップＳＴ２１０において、薬注制御部３１１により、ブローダウン処理が開始されていない（ＮＯ）と判定された場合に、処理はステップＳＴ２０８へ移行する。
【００９９】
ステップＳＴ２１１（ステップＳＴ２１０：ＹＥＳ）において、薬注制御部３１１は、薬剤供給ポンプ３５０へのポンプ駆動信号の出力を停止して、薬注処理を中断させる。
【０１００】
ステップＳＴ２１２において、計時部３１２は、ブローダウン処理と薬剤投入時間Ｔ１とが重複する重複時間ＴＬの計時をスタートする。
【０１０１】
ステップＳＴ２１３において、薬注制御部３１１は、ブローダウン処理が終了したか否かを判定する。このステップＳＴ２１３において、薬注制御部３１１により、ブローダウン処理が終了した（ＹＥＳ）と判定された場合に、処理はステップＳＴ２１４へ移行する。また、ステップＳＴ２１３において、薬注制御部３１１により、ブローダウン処理が終了していない（ＮＯ）と判定された場合に、処理はステップＳＴ２１３へ戻る。
【０１０２】
ステップＳＴ２１４（ステップＳＴ２１３：ＹＥＳ）において、計時部３１２は、重複時間ＴＬの計時をストップし、計時した重複時間ＴＬをメモリ３２０に記憶させる。その後、計時した重複時間ＴＬは、計時部３１２においてリセットされる。
【０１０３】
ステップＳＴ２１５において、薬注制御部３１１は、一つ前のブローダウン処理の実行期間中に循環水Ｗ２に供給されなかった薬剤の投入量ＱＸと、次のブローダウン処理の実行期間中に計時された重複時間ＴＬに応じた薬剤の投入量ＱＹとを合計した量の薬剤が循環水Ｗ２に供給されるように、薬剤の合計量ＱＸ＋ＱＹに対応したパルス幅を有するポンプ駆動信号を薬剤供給ポンプ３５０に出力する（図４（Ｂ）参照）。これにより、薬剤供給装置３００において薬注処理が実行（再開）される。このステップＳＴ２１５における薬注処理が終了すると、本フローチャートの処理は終了する（ステップＳＴ２０１へリターンする）。
【０１０４】
上述した本実施形態の薬剤供給装置３００によれば、例えば、以下のような効果が奏される。
【０１０５】
薬剤供給装置３００は、ブローダウン処理の実行中においては、薬注処理の実行を待機（停止）させ、また薬注処理の実行中にブローダウン処理が実行されたときには、薬注処理の実行を中断（停止）させる。そのため、ブローダウン処理と薬注処理とが同時期に実行されることが回避され、薬注処理において供給された薬剤が直ちに循環水Ｗ２の一部と共に系外に排出されることがない。従って、薬剤供給装置３００によれば、停止させた薬注処理の実行中に開始される次のブローダウン処理により、薬剤が無駄に消費されるのを抑制することができる。
【０１０６】
また、薬剤供給装置３００において、ブローダウン処理により薬注処理を中断させた場合には、そのブローダウン処理の終了後に、一つ前のブローダウン処理の実行期間中に循環水Ｗ２に供給されなかった薬剤の投入量分と、次のブローダウン処理の実行期間中に計時部３１２で計時された重複時間ＴＬに応じた薬剤の投入量とを合計した量の薬剤が循環水Ｗ２に供給される。従って、薬剤供給装置３００によれば、停止させた薬注処理の実行中に次のブローダウン処理が実行された場合でも、そのブローダウン処理の終了後に、必要量の薬剤を速やかに循環水Ｗ２に供給することができる。
【０１０７】
また、冷却システム１において、薬剤は、循環水系としての循環水ラインＬ１１０を循環水Ｗ２が循環している間に供給される。そのため、循環水Ｗ２に供給された薬剤が、循環水ラインＬ１１０の一部に滞留することがなく、薬剤を効率良く循環水系の全体に行き渡らせることができる。
【０１０８】
以上、本発明の好適な実施形態について説明したが、本発明は上述した実施形態に限定されることなく、種々の形態で実施することができる。
【０１０９】
本実施形態では、循環水系を有する産業用設備として、循環水ラインＬ１１０を有する冷却塔１２０を例に説明した。この例に限らず、循環水系を有する産業用設備は、例えば、ボイラ装置や逆浸透膜装置であってもよい。
【０１１０】
ボイラ装置の場合、例えば、多管式の貫流ボイラでは、ボイラ本体で発生した気水混合物を上部ヘッダに連結された気水分離器で蒸気と飽和水とに分離し、飽和水を降水管（循環水系）により下部ヘッダに戻すように構成されている。従って、この種のボイラ装置において、循環水系を流通する水の一部を排出すると共に、外部から供給される補給水をボイラ本体に導入する処理を、ブローダウン処理と看做すことができる。
【０１１１】
また、逆浸透膜装置の場合、一次側の膜表面での流速を確保するため、一般に、膜モジュールの外に排出される濃縮水の一部を、濃縮水返送ライン（循環水系）を介して加圧ポンプの原水吸込側に戻す、クロスフロー方式が採用されている。従って、クロスフロー方式の逆浸透膜装置において、循環水系を流通する濃縮水の一部を排出すると共に、外部から供給される原水を逆浸透膜装置に導入する処理を、ブローダウン処理と看做すことができる。
【０１１２】
本実施形態では、薬剤を貯留部１２２に供給する例について説明した。しかし、薬剤を循環水系（塔本体１２１及び循環水ラインＬ１１０）に供給することができれば、薬剤を供給する位置はこの例に限定されない。例えば、薬剤を塔本体１２１の散水部（不図示）に供給してもよいし、循環水供給ラインＬ１１１又は循環水回収ラインＬ１１２に供給してもよい。また、薬剤を補給水Ｗ１に供給してもよいし、補給水Ｗ１及び循環水Ｗ２の両方に供給してもよい。
【０１１３】
本実施形態では、ブローダウン処理として、補給水Ｗ１を強制的に冷却塔１２０へ供給することにより、循環水Ｗ２の一部を冷却塔１２０から系外に排出する例（強制補給）について説明した。このほかのブローダウン処理として、例えば、排水ラインＬ１３０に排水バルブを設け、この排水バルブを開いて循環水Ｗ２を冷却塔１２０から強制的に系外に排出することにより、補給水Ｗ１を冷却塔１２０へ供給させてもよい（強制排水）。この場合、排水ラインＬ１３０の上流側の端部は、貯留部１２２（図１参照）の底部に接続される。
【０１１４】
また、ブローダウン処理として、循環水Ｗ２の一部を循環水ラインＬ１１０から系外に排出してもよい。また、ブローダウン処理として、循環水Ｗ２の一部を冷却塔１２０及び循環水ラインＬ１１０の両方から系外に排出してもよい。
【０１１５】
本実施形態では、ＥＣセンサ１３３を貯留部１２２に配置する例について説明した。これに限らず、ＥＣセンサ１３３を循環水回収ラインＬ１１２に配置してもよい。また、本実施形態では、ＥＣセンサ１３３で検出された電気伝導率ＥＣが上限閾値ＥＣｂ１以上となった場合にブローダウン処理を実行させる例について説明した。このほか、冷却塔１２０の蒸発損失量を検出し、検出した蒸発損失量に基づいて循環水Ｗ２の濃縮度を推定することにより、ブローダウン処理の実行の可否を判定するようにしてもよい。
【０１１６】
本実施形態では、薬剤供給装置３００の薬剤供給ポンプ３５０として、電磁駆動ダイアフラム式の定量ポンプを用いる例について説明した。この例に限らず、薬剤供給ポンプ３５０として、プランジャーポンプ、ベローズポンプ等の定量吐出ポンプを用いてもよい。
【０１１７】
本実施形態では、冷却塔１２０を開放式冷却塔として構成した例について示した。この例に限らず、冷却塔１２０を密閉式冷却塔として構成してもよい。
【符号の説明】
【０１１８】
１  冷却システム
１００  システム制御ユニット
１２０  冷却塔
１３１  被冷却装置
１３２  循環水ポンプ
１３３  ＥＣセンサ（電気伝導率センサ）
１３６  補給水バルブ
１３７  給水栓
１３８  オーバーフロー口
２００  ブローダウン処理制御部
２１０  メモリ
３００  薬剤供給装置
３１０  薬注制御ユニット
３１１  薬注制御部（薬剤供給制御部）
３１２  計時部
３２０  メモリ
３３０  薬剤タンク（薬剤供給手段）
３５０  薬剤供給ポンプ（薬剤供給手段）
Ｌ１１０  循環水ライン
Ｌ１２０  補給水ライン
Ｌ１３０  排水ライン
Ｌ１４０  薬剤供給ライン
Ｗ１  補給水
Ｗ２  循環水
Ｗ３  薬剤
【図１】
2014185797.tif 000003
【図２】
2014185797.tif 000004
【図３】
2014185797.tif 000005
【図４】
2014185797.tif 000006
【図５】
2014185797.tif 000007
【図６】
2014185797.tif 000008